(57)【要約】【課題】販売前の流通、保管時あるいは販売陳列時等に、他人により意図的にあるいは不意に外力が加えられてもカバー体が吐出器本体から外れるのを防ぐことができるとともに、カバー体が吐出器本体から外されたことがあるか否かを容易に判別することが可能で、さらに購入者自身が内容物の使用を開始した後も、不意に加えられた外力により内容物が吐出されてしまうのを防ぐこと。【解決手段】吐出器本体１５を覆うカバー体１８は、頂部３１及び頂部から下方に向けて延設され下端が天壁部１６上に配置された周壁部３２を備え、案内筒部２２には、被係止部３７が係止されることで吐出器本体に対するカバー体の上方に向けた移動を規制する係止部２２ｃが形成され、カバー体には、押下ヘッド１４に係合することで周壁部に形成された開口部３３を吐出器本体の上側部分１７が径方向に通過することを規制する係合片３８が、破断可能なブリッジ部３９を介して連結される。【選択図】図２
2010274983.tif 000002
【特許請求の範囲】
【請求項１】
内容物が収容された容器体の口部に装着される有頂筒状の装着キャップと、
この装着キャップに上方付勢状態で下方移動可能に貫設されたステムを有するポンプと、
前記ステムの上端に装着されるとともに吐出孔が形成された押下ヘッドと、を備え、
前記押下ヘッドを押下して前記ステムを下方に移動させ前記ポンプを作動させることにより、容器体内の内容物が移送されて前記吐出孔から吐出される吐出器本体を有する吐出器であって、
前記吐出器本体のうち前記装着キャップの天壁部よりも上方に位置する上側部分を覆うとともに該上側部分に装着されるカバー体を備え、
このカバー体は、前記押下ヘッドを上方から覆う頂部と、この頂部から下方に向けて延設され前記上側部分を径方向の外側から覆うとともに下端が前記装着キャップの天壁部上に配置された周壁部と、を備え、
前記装着キャップの天壁部には、前記押下ヘッドの上下動を案内する案内筒部が立設され、
前記案内筒部には、前記周壁部に設けられた被係止部が係止されることで、前記吐出器本体に対する前記カバー体の上方に向けた移動を規制する係止部が形成され、
前記周壁部には、上下方向に延び下方に向けて開口する開口部が形成され、
前記カバー体および吐出器本体の径方向に沿った相対的な進退移動に伴い、前記上側部分が前記開口部を径方向に通過することで前記カバー体に対して着脱され、
前記カバー体には、前記押下ヘッドに係合することで、前記上側部分が前記開口部を径方向に通過することを規制する係合片が、破断可能なブリッジ部を介して連結されていることを特徴とする吐出器。
【請求項２】
請求項１記載の吐出器であって、
前記係合片は、前記押下ヘッドと前記案内筒部との間に嵌入されることで前記押下ヘッドに係合されることを特徴とする吐出器。
【発明の詳細な説明】
【技術分野】
【０００１】
本発明は、吐出器に関する。
【背景技術】
【０００２】
内容物が収容された容器体の口部に装着される有頂筒状の装着キャップと、この装着キャップに上方付勢状態で下方移動可能に貫設されたステムを有するポンプと、ステムの上端に装着されるとともに吐出孔が形成された押下ヘッドと、を備え、押下ヘッドを押下してステムを下方に移動させ前記ポンプを作動させることにより、容器体内の内容物が移送されて吐出孔から吐出される吐出器本体、並びにこの吐出器本体のうち装着キャップの天壁部よりも上方に位置する上側部分を覆うカバー体を備える吐出器が知られている。
このようなカバー体として、例えば下記特許文献１に示されるように、不意に加えられた外力を受け止め、この外力がステムに伝わるのを防ぐことで内容物が吐出されることを防止する構成が知られている。
ところで近年では、販売前の流通、保管時あるいは販売陳列時等に、他人により意図的にあるいは不意に加えられた外力によって内容物が吐出されてしまうことを防止でき、さらに未使用であることを容易に判別させることが可能な構成が要望されている。
【先行技術文献】
【特許文献】
【０００３】
【特許文献１】特開２００６−３２７６１２号公報
【発明の概要】
【発明が解決しようとする課題】
【０００４】
しかしながら、前記従来の吐出器では、前記カバー体が吐出器本体から外れ易く、しかも外された後に再度装着されると、カバー体が外れたことがあるか否かの判別が困難であり、前述の要望に対応し難いという問題があった。
【０００５】
本発明は、前述した事情に鑑みてなされたものであって、その目的は、販売前の流通、保管時あるいは販売陳列時等に、他人により意図的にあるいは不意に外力が加えられてもカバー体が吐出器本体から外れるのを防ぐことができるとともに、カバー体が吐出器本体から外されたことがあるか否かを容易に判別することが可能で、さらに購入者自身が内容物の使用を開始した後も、不意に加えられた外力により内容物が吐出されてしまうのを防ぐことができる吐出器を提供することである。
【課題を解決するための手段】
【０００６】
前記課題を解決するために、本発明は以下の手段を提案している。
本発明に係る吐出器は、内容物が収容された容器体の口部に装着される有頂筒状の装着キャップと、この装着キャップに上方付勢状態で下方移動可能に貫設されたステムを有するポンプと、前記ステムの上端に装着されるとともに吐出孔が形成された押下ヘッドと、を備え、前記押下ヘッドを押下して前記ステムを下方に移動させ前記ポンプを作動させることにより、容器体内の内容物が移送されて前記吐出孔から吐出される吐出器本体を有する吐出器であって、前記吐出器本体のうち前記装着キャップの天壁部よりも上方に位置する上側部分を覆うとともに該上側部分に装着されるカバー体を備え、このカバー体は、前記押下ヘッドを上方から覆う頂部と、この頂部から下方に向けて延設され前記上側部分を径方向の外側から覆うとともに下端が前記装着キャップの天壁部上に配置された周壁部と、を備え、前記装着キャップの天壁部には、前記押下ヘッドの上下動を案内する案内筒部が立設され、前記案内筒部には、前記周壁部に設けられた被係止部が係止されることで、前記吐出器本体に対する前記カバー体の上方に向けた移動を規制する係止部が形成され、前記周壁部には、上下方向に延び下方に向けて開口する開口部が形成され、前記カバー体および吐出器本体の径方向に沿った相対的な進退移動に伴い、前記上側部分が前記開口部を径方向に通過することで前記カバー体に対して着脱され、前記カバー体には、前記押下ヘッドに係合することで、前記上側部分が前記開口部を径方向に通過することを規制する係合片が、破断可能なブリッジ部を介して連結されていることを特徴とする。
【０００７】
この発明によれば、案内筒部に、前記係止部が形成されているので、この係止部に被係止部を係止させることで、カバー体の吐出器本体に対する上方に向けた移動を規制することが可能になり、カバー体が、吐出器本体に対して上方に向けて移動して吐出器本体から外れるのを防ぐことができる。
また、カバー体に、前記係合片が連結されているので、この係合片を押下ヘッドに係合させることで、前記上側部分が開口部を径方向に通過するのを規制することが可能になり、前記上側部分が開口部を径方向に通過することで周壁部から離脱してカバー体が吐出器本体から外れるのを防ぐことができる。
以上より、販売前の流通、保管時あるいは販売陳列時等に、他人により意図的にあるいは不意に外力が加えられてもカバー体が吐出器本体から外れるのを防ぐことができる。
【０００８】
また、カバー体を吐出器本体から外すには、ブリッジ部を破断させるとともに係合片と押下ヘッドとの係合を解除した後、カバー体および吐出器本体を相対的に径方向に沿って離間移動させることで、吐出器本体の前記上側部分にカバー体の開口部を径方向に通過させ前記上側部分をカバー体から離脱させる。
このように、カバー体を吐出器本体から外すためには、ブリッジ部を破断させなければならず、カバー体が吐出器本体から外されたことがあるか否かを購入者に容易に判別させることができる。
【０００９】
そして、購入者において内容物の使用後に保管する際には、カバー体の開口部と、吐出器本体の前記上側部分と、を径方向で互いに対向させた状態で、カバー体と吐出器本体とを相対的に径方向に接近移動させることにより、吐出器本体の前記上側部分にカバー体の開口部を径方向に通過させて前記上側部分にカバー体を装着させる。これにより、押下ヘッドは、頂部により上方から覆われるとともに周壁部により径方向の外側から覆われ、また、周壁部の下端は、装着キャップの天壁部上に配置される。
以上のように、販売前の流通、保管時あるいは販売陳列時、さらには購入者による内容物の使用後の保管時の別を問わず、カバー体を吐出器本体（前記上側部分）に装着した状態では、押下ヘッドが、頂部により上方から覆われるとともに、この頂部から下方に向けて延設される周壁部の下端が、装着キャップの天壁部上に配置されるので、吐出器に、この吐出器の上方から下方に向けて外力が加えられても、その力が、頂部および周壁部を介して装着キャップに伝達されて容器体により受け止められることとなり、押下ヘッドおよびステムの下方への移動を防止することができる。
したがって、販売前の流通、保管時あるいは販売陳列時、さらには購入者による内容物の使用後の保管時の別を問わず、カバー体が吐出器本体に装着されているときには、不意に加えられた外力によって内容物が吐出されてしまうのを防ぐことができる。
【００１０】
また、前記係合片は、前記押下ヘッドと前記案内筒部との間に嵌入されることで前記押下ヘッドに係合されていても良い。
【００１１】
この場合、係合片が、押下ヘッドと案内筒部との間に嵌入されているので、係合片を押下ヘッドに強固に係合させることが可能になり、販売前の流通、保管時あるいは販売陳列時等に不意に外力が加えられても、係合片と押下ヘッドとの係合が解除されるのを確実に抑えることができる。しかも、押下ヘッドに、係合片が係合される係合部（例えば突起や凹部など）を形成することなく係合片を係合させることが可能になり、既存の押下ヘッドを使用することができる。
【発明の効果】
【００１２】
本発明に係る吐出器によれば、販売前の流通、保管時あるいは販売陳列時等に、他人により意図的にあるいは不意に外力が加えられてもカバー体が吐出器本体から外れるのを防ぐことができるとともに、カバー体が吐出器本体から外されたことがあるか否かを容易に判別することが可能で、さらに購入者自身が内容物の使用を開始した後も、不意に加えられた外力により内容物が吐出されてしまうのを防ぐことができる。
【図面の簡単な説明】
【００１３】
【図１】本発明の第１実施形態に係る吐出器の要部を示す側面図である。
【図２】図１に示す吐出器の部分断面図である。
【図３】図１に示す吐出器の正面図である。
【図４】本発明の第２実施形態に係る吐出器の要部を示す部分側面図である。
【図５】本発明の第３実施形態に係る吐出器の要部を示す部分側面図である。
【図６】本発明の第４実施形態に係る吐出器の要部を示す部分側面図である。
【図７】本発明の第５実施形態に係る吐出器の要部を示す部分側面図である。
【図８】本発明の第６実施形態に係る吐出器の要部を示す部分側面図である。
【図９】図８に示す吐出器が備えるカバー体および係合片を展開した状態を示す上面図である。
【図１０】図８に示す吐出器が備えるカバー体および係合片を吐出器本体に装着する工程を説明する一工程図である。
【図１１】図８に示す吐出器が備えるカバー体および係合片を吐出器本体に装着する工程を説明する一工程図である。
【図１２】本発明の第７実施形態に係る吐出器の要部を示す部分側面図である。
【図１３】図１２に示す吐出器が備えるカバー体および係合片を吐出器本体に装着する工程を説明する一工程図である。
【発明を実施するための形態】
【００１４】
（第１実施形態）
以下、図面を参照し、本発明の第１実施形態に係る吐出器を説明する。
図１から図３に示すように、本実施形態の吐出器１０は、内容物が収容された容器体２の口部２ａに装着される有頂筒状の装着キャップ１１と、この装着キャップ１１に上方付勢状態で下方移動可能に貫設されたステム１２を有するポンプ１３と、ステム１２の上端に装着されるとともに吐出孔が形成された押下ヘッド１４と、を備える吐出器本体１５、並びに吐出器本体１５のうち装着キャップ１１の天壁部１６よりも上方に位置する上側部分１７を覆うとともに該上側部分１７に装着されるカバー体１８を備えている。
【００１５】
そして、カバー体１８を吐出器本体１５から外した状態で、押下ヘッド１４を押下してステム１２を下方に移動させポンプ１３を作動させることにより、容器体２内の内容物が移送されて吐出孔から吐出されるようになっている。
ここで、容器体２、装着キャップ１１およびステム１２それぞれの中心軸は共通軸上に位置している。以下、この共通軸を中心軸Ｏといい、この中心軸Ｏに沿う方向を上下方向といい、上下方向に沿ってカバー体１８の後述する頂部３１側を上側、容器体２の底部（図示せず）側を下側といい、また中心軸Ｏに直交する方向を径方向といい、さらに中心軸Ｏを中心に周回する方向を周方向という。
【００１６】
装着キャップ１１は、中央部に円形の開口が形成された天壁部１６と、天壁部１６の外周縁部から下方に向けて延設された装着筒部２１と、天壁部１６に前記開口と同軸に配置されるとともに上方に向けて延設（立設）された案内筒部２２と、を備えている。
装着筒部２１内には、容器体２の口部２ａが嵌合されており、これにより、装着キャップ１１が容器体２に装着されている。
また、案内筒部２２は、小径部２２ｂと、小径部２２ｂよりも大径な大径部２２ａと、が、下側から上側に向けてこの順に連結された多段の筒状に形成されている。これらの小径部２２ｂと大径部２２ａとは、段部（係止部）２２ｃを介して周方向の全周にわたって連結されている。
【００１７】
ポンプ１３は、前記ステム１２と、内部にステム１２の下部が上下動自在に配設されたシリンダ２３と、シリンダ２３の内部に上下摺動自在に配設されたピストン部材（図示せず）と、ステム１２を上方に向けて付勢する付勢部材（図示せず）と、を備えている。
ステム１２の上部は、シリンダ２３の上端から上方に突出し、かつ装着キャップ１１の案内筒部２２内に配設され、さらにその上端部は案内筒部２２の上端から上方に突出している。
シリンダ２３は、円筒状に形成されるとともに前記中心軸Ｏと同軸に配設されている。シリンダ２３の上端には、全周にわたってフランジ部２３ａが径方向の外側に向けて突設されており、このフランジ部２３ａが、装着キャップ１１の天壁部１６の下面と、容器体２の口部２ａの開口端縁上のパッキン２４と、により上下方向に挟み込まれている。シリンダ２３の下端部（図示せず）内には、例えばパイプ（図示せず）の上端部が嵌合されており、このパイプの下端開口部が容器体２内の底部に位置している。
【００１８】
押下ヘッド１４は、頂壁部２６と、頂壁部２６の下面における中央部から下方に向けて延設された嵌合筒部２７と、頂壁部２６の外周縁から下方に向けて延設され嵌合筒部２７を径方向の外側から囲繞する囲繞筒部２８と、囲繞筒部２８の外周面に径方向の外側に向けて突設された吐出筒２９と、を備えている。嵌合筒部２７および囲繞筒部２８は、いずれも前記中心軸Ｏと同軸に配設されている。
【００１９】
嵌合筒部２７内にはステム１２の上端部が嵌合されており、この嵌合筒部２７内とステム１２内とが連通している。吐出筒２９の先端には前記吐出孔が形成され、また吐出筒２９の内部は嵌合筒部２７の内部と連通している。
囲繞筒部２８において、上部２８ａの外周面は上方から下方に向かうに従い漸次縮径され、下部２８ｂの外周面は上下方向における全長にわたって同等の外径となっている。囲繞筒部２８の下部２８ｂの外径は、上部２８ａの下端における外径と同等になっている。囲繞筒部２８の下部２８ｂにおける内径は、装着キャップ１１の案内筒部２２の大径部２２ａの外径よりも大きくなっており、押下ヘッド１４の上下動に伴い、案内筒部２２が囲繞筒部２８内に下側から進退移動して押下ヘッド１４の上下動を案内するようになっている。なお、図示の例では、案内筒部２２の大径部２２ａの上端は、押下ヘッド１４の押下時および非押下時の別を問わず常に囲繞筒部２８内に位置している。
【００２０】
以上の構成において、押下ヘッド１４を押下すると、まずステム１２が下方に向けて移動させられる。このステム１２の移動に追従して、前記ピストン部材がシリンダ２３の内周面に摺接しつつ下方に移動する。これにより、シリンダ２３内の内容物が圧縮され、この圧縮されたシリンダ２３内の内容物が、ステム１２内に進入してこのステム１２内を上方に向けて移動する。
その後、押下ヘッド１４の押下を解除すると、前記ピストン部材が前記付勢部材の上方付勢力によりシリンダ２３の内周面に摺接しつつ上方に向けて復元移動する。これにより、シリンダ２３内が減圧され、容器体２内に収容されている内容物が前記パイプを通してシリンダ２３内に吸い上げられる。
【００２１】
そして、本実施形態では、カバー体１８は、押下ヘッド１４を上方から覆う頂部３１と、この頂部３１から下方に向けて延設され前記上側部分１７を径方向の外側から覆うとともに下端が装着キャップ１１の天壁部１６上に配置された周壁部３２と、を備えている。
頂部３１は、平板状体で上面視円形状に形成され、押下ヘッド１４の頂壁部２６を上方から全域にわたって覆っている。また、頂部３１と頂壁部２６との間には、隙間が設けられている。
【００２２】
周壁部３２は、前記中心軸Ｏと同軸に配設されるとともに頂部３１の外周縁部から下方に向けて延在している。また、本実施形態では、この周壁部３２内に前記上側部分１７が嵌合されることで、カバー体１８が前記上側部分１７に装着される。なお、図示の例では、周壁部３２内には、押下ヘッド１４の下端部が嵌合され、周壁部３２と案内筒部２２との間には、隙間があいている。
【００２３】
また、周壁部３２には、上下方向に延び下方に向けて開口する開口部３３が形成されている。開口部３３は、周壁部３２にその上下方向における全長にわたって形成されている。これにより、カバー体１８および吐出器本体１５の径方向に沿った相対的な進退移動に伴い、前記上側部分１７が、開口部３３が周方向に拡幅するように周壁部３２を弾性変形させながら、開口部３３を径方向に通過することで、周壁部３２内に対して嵌合および離脱されカバー体１８に対して着脱されるようになっている。
なお、図示の例では、周壁部３２の上端部において開口部３３に周方向で隣接する部分には、上下方向に延びる切り欠き部３４が形成されている。切り欠き部３４の上端は、上下方向において周壁部３２の上端と一致し、切り欠き部３４の下端は、押下ヘッド１４の囲繞筒部２８の下端よりも上側に位置している。
【００２４】
また、周壁部３２の上端部において前記中心軸Ｏを挟んで開口部３３の反対側に位置する部分には、内部に押下ヘッド１４の吐出筒２９が収納される先端閉塞の収納体３５が径方向の外側に向けて突設されている。
収納体３５は、吐出筒２９の下方に配置されるとともに吐出筒２９の先端部から基端部まで径方向に延び周壁部３２に連なる下壁部３６を備えている。本実施形態では、下壁部３６は、その径方向における中間位置よりも内側に位置する部分が、径方向の外側から内側に向かうに従い漸次、上側から下側に向かって湾曲している。
なお、収納体３５の内面と吐出筒２９の外面との間には隙間が設けられている。
【００２５】
また、周壁部３２には、案内筒部２２の段部２２ｃに係止される被係止部３７が設けられている。本実施形態では、被係止部３７は、周壁部３２の内周面の下端に径方向の内側に向けて突設され、先端部が、案内筒部２２の段部２２ｃの下方まで延びている。これにより、被係止部３７が段部２２ｃに係止され、吐出器本体１５に対するカバー体１８の上方に向けた移動が規制される。なお、図示の例では、被係止部３７は、開口部３３側に向けて開口する上面視Ｃ字状に形成され、内部に案内筒部２２の小径部２２ｂが嵌合されている。
【００２６】
そして、カバー体１８には、押下ヘッド１４に係合することで、前記上側部分１７が開口部３３を径方向に通過することを規制する係合片３８が、破断可能なブリッジ部３９を介して連結されている。この係合片３８は、押下ヘッド１４と案内筒部２２との間に嵌入されることで押下ヘッド１４に係合されている。
係合片３８は、板状体で形成された本体片部４０と、本体片部４０においてカバー体１８の外側を向く表面に突設された摘み部４１と、本体片部４０に連結され押下ヘッド１４に係合する第１係合部４２と、を備え、カバー体１８と一体に成形されている。
【００２７】
本実施形態では、本体片部４０は、カバー体１８において前記中心軸Ｏを挟んで開口部３３の反対側に位置する部分に形成された窓部４３内に配設されるとともに、図３に示すように、その外周縁部が、カバー体１８における窓部４３の内周縁部にブリッジ部３９を介して連結されている。また、本体片部４０は、窓部４３に対応した形状に形成され、その外周縁部がカバー体１８における窓部４３の内周縁部に沿うように配設されている。
【００２８】
図２および図３に示すように、図示の例では、窓部４３は、収納体３５の下壁部３６および周壁部３２において下壁部３６に連なる部分に跨るように上下方向に延在し、当該カバー体１８を径方向の収納体３５側から見た正面視で矩形状に形成されている。
また、本体片部４０は、平面視矩形状に形成されるとともに、上側から下側に向かうに従い漸次、径方向の外側から内側に向かい、かつ径方向の内側に向けて突出する凸形状に湾曲されている。また、本体片部４０の外周縁部は、その全周にわたって窓部４３の内周縁部にブリッジ部３９を介して連結されている。図３に示すように、ブリッジ部３９は、本体片部４０の外周縁部と窓部４３の内周縁部との間に互いに間隔をあけて複数配置された破断可能な連結片３９ａにより構成されており、これらの連結片３９ａが前記外周縁部と前記内周縁部とを全周にわたって間欠的に連結している。
【００２９】
図２に示すように、摘み部４１は、平面視直角三角形に形成され、直角部をカバー体１８の外側に向けて本体片部４０の表面に突設された板状体であり、上下方向に沿って延びるように設けられている。
第１係合部４２は、本体片部４０において表面の反対側の面である裏面の下端部に径方向の内側に向けて突設されている。第１係合部４２は、基端部が径方向の内側に向けて延在するとともに先端部が上方に向けて延在するように中間部で屈曲され、全体として略Ｌ字状となっており、前記先端部が押下ヘッド１４の囲繞筒部２８の下端部と装着キャップ１１の案内筒部２２との間に嵌入されることで、囲繞筒部２８の下端部に下側から回り込んで径方向の内側から係合されている。なお、図示の例では、第１係合部４２の基端部の上面は、囲繞筒部２８の下端縁に当接している。
【００３０】
以上のように構成された係合片３８においては、第１係合部４２が押下ヘッド１４の囲繞筒部２８に径方向の内側から係合することで、押下ヘッド１４に対して径方向の外側に向けて移動することが規制される。ここで、この係合片３８が、カバー体１８に連結されるとともに窓部４３内に配設されているので、前述のように係合片３８の移動が規制されることで、前記上側部分１７が開口部３３を径方向に通過するようにカバー体１８および吐出器本体１５が径方向に沿って相対的に離間移動することが規制される。したがって、係合片３８が押下ヘッド１４に係合することで、前記上側部分１７が開口部３３を径方向に通過するのを規制することができる。
なお、仮にこの規制に反して、前述のようにカバー体１８および吐出器本体１５を径方向に沿って相対的に離間移動させようとした場合には、ブリッジ部３９が破断してカバー体１８から係合片３８が分離されることとなる。
【００３１】
次に、以上のように構成された吐出器１０の作用について説明する。
はじめに、係合片３８が連結されたカバー体１８を吐出器本体１５に装着させる際には、カバー体１８の開口部３３と、吐出器本体１５の前記上側部分１７と、を径方向で互いに対向させた状態で、カバー体１８と吐出器本体１５とを相対的に径方向に接近移動させることにより、吐出器本体１５の前記上側部分１７にカバー体１８の開口部３３を径方向に通過させて前記上側部分１７にカバー体１８を装着させる。またこの際、本実施形態では、第１係合部４２の先端部と押下ヘッド１４の囲繞筒部２８の下端部とを径方向に互いに乗り越えさせて係合片３８を押下ヘッド１４に係合させる。
これにより、押下ヘッド１４は、頂部３１により上方から覆われるとともに周壁部３２により径方向の外側から覆われ、また、周壁部３２の下端は、装着キャップ１１の天壁部１６上に配置される。
【００３２】
次いで、カバー体１８を吐出器本体１５から外すには、まず、例えば係合片３８の摘み部４１を指等で摘み、この摘み部４１を介して本体片部４０に、この本体片部４０をカバー体１８から引き離す力を加える等し、ブリッジ部３９を破断させるとともに係合片３８と押下ヘッド１４との係合を解除して係合片３８をカバー体１８から分離させる。その後、カバー体１８および吐出器本体１５を相対的に径方向に沿って離間移動させることで、吐出器本体１５の前記上側部分１７にカバー体１８の開口部３３を径方向に通過させ前記上側部分１７をカバー体１８から離脱させる。
なおこの過程において、係合片３８がカバー体１８から分離されなくても良く、例えば、ブリッジ部３９の一部が破断され、係合片３８とカバー体１８とがブリッジ部３９の他の一部で連結されている状態であっても良い。
【００３３】
そして、購入者において内容物の使用後に保管する際には、係合片３８が連結されたカバー体１８を吐出器本体１５に装着させる際と同様にして前記上側部分１７をカバー体１８に装着させる。なおこの際、係合片３８はカバー体１８から分離されているので、第１係合部４２と押下ヘッド１４とを互いに乗り越えさせることはない。
【００３４】
以上説明したように、本実施形態に係る吐出器１０によれば、案内筒部２２に、前記段部２２ｃが形成されているので、この段部２２ｃに被係止部３７を係止させることで、カバー体１８の吐出器本体１５に対する上方に向けた移動を規制することが可能になり、カバー体１８が、吐出器本体１５に対して上方に向けて移動して吐出器本体１５から外れるのを防ぐことができる。
また、カバー体１８に、前記係合片３８が連結されているので、この係合片３８を押下ヘッド１４に係合させることで、前記上側部分１７が開口部３３を径方向に通過するのを規制することが可能になり、前記上側部分１７が開口部３３を径方向に通過することで周壁部３２から離脱してカバー体１８が吐出器本体１５から外れるのを防ぐことができる。
以上より、販売前の流通、保管時あるいは販売陳列時等に、他人により意図的にあるいは不意に外力が加えられてもカバー体１８が吐出器本体１５から外れるのを防ぐことができる。
【００３５】
また、カバー体１８を吐出器本体１５から外すためには、ブリッジ部３９を破断させなければならず、カバー体１８が吐出器本体１５から外されたことがあるか否かを購入者に容易に判別させることができる。
【００３６】
さらに、販売前の流通、保管時あるいは販売陳列時、さらには購入者による内容物の使用後の保管時の別を問わず、カバー体１８を吐出器本体１５（前記上側部分１７）に装着した状態では、押下ヘッド１４が、頂部３１により上方から覆われるとともに、この頂部３１から下方に向けて延設される周壁部３２の下端が、装着キャップ１１の天壁部１６上に配置されるので、吐出器１０に、この吐出器１０の上方から下方に向けて外力が加えられても、その力が、頂部３１および周壁部３２を介して装着キャップ１１に伝達されて容器体２により受け止められることとなり、押下ヘッド１４およびステム１２の下方への移動を防止することができる。
したがって、カバー体１８を吐出器本体１５に装着することで、販売前の流通、保管時あるいは販売陳列時に他人により意図的に加えられた外力や、販売前の流通、保管時あるいは販売陳列時、さらには購入者による内容物の使用後の保管時の別を問わず、不意に加えられた外力などによって内容物が吐出されてしまうのを防ぐことができる。
【００３７】
また、本実施形態では、係合片３８の第１係合部４２が、押下ヘッド１４と案内筒部２２との間に嵌入されているので、係合片３８を押下ヘッド１４に強固に係合させることが可能になり、販売前の流通、保管時あるいは販売陳列時等に不意に外力が加えられても、係合片３８と押下ヘッド１４との係合が解除されるのを確実に抑えることができる。しかも、押下ヘッド１４に、係合片３８の第１係合部４２が係合される係合部（例えば突起や凹部など）を形成することなく係合片３８を係合させることが可能になり、既存の押下ヘッド１４を使用することができる。
【００３８】
また、本実施形態では、係合片３８の第１係合部４２が押下ヘッド１４に係合することで、係合片３８が押下ヘッド１４に対して径方向の外側に向けて移動することが規制されているので、係合片３８をカバー体１８から分離させるために、係合片３８に径方向の外側に向けて力を加えることで、前述のように係合片３８が押下ヘッド１４に強固に係合されていることと相俟って、係合片３８に加えた力をブリッジ部３９に効率的に伝えることが可能になり、カバー体１８からの係合片３８の分離を容易に行うことができる。
【００３９】
（第２実施形態）
次に、本発明に係る第２実施形態について図面を参照して説明する。
なお、この第２実施形態においては、第１実施形態における構成要素と同一の部分については同一の符号を付してその説明を省略し、異なる点についてのみ説明する。
図４に示すように、本実施形態に係る吐出器５０では、窓部５１が、カバー体５２の周壁部３２の下端部に、上下方向に延びるとともに下方に向けて開口する前記正面視矩形凹溝状に形成されている。
【００４０】
また、係合片５３の本体片部５４は、上下方向に延びる平面視矩形状に形成されて窓部５１内に配設されており、この本体片部５４においてカバー体５２の内側を向く裏面の上端部に、第１係合部４２が径方向の内側に向けて突設されている。
摘み部５５は、平板状体に形成され、本体片部５４の裏面の反対側の面である表面の下端から径方向の外側に向けて径方向に沿って延設されている。摘み部５５の先端は、装着キャップ１１の装着筒部２１よりも径方向の外側に位置している。
【００４１】
以上説明した本実施形態に係る吐出器５０によれば、前記第１実施形態と同様の作用効果を奏することができる。
【００４２】
（第３実施形態）
次に、本発明に係る第３実施形態について図面を参照して説明する。
なお、この第３実施形態においては、第１実施形態における構成要素と同一の部分については同一の符号を付してその説明を省略し、異なる点についてのみ説明する。
図５に示すように、本実施形態に係る吐出器６０では、係合片６１の本体片部６２の外周縁部の一部である上端部６２ａのみが、窓部４３の内周縁部においてこの上端部６２ａに対応する部分とブリッジ部６３を介して連結されている。
【００４３】
また、係合片６１には、カバー体６４に係合することで、当該係合片６１がカバー体６４の外側に向けて移動するのを規制する第２係合部６５が備えられている。
本実施形態では、第２係合部６５は、本体片部６２においてカバー体６４の内側を向く裏面の下端部に突設されるとともに下方に向けて延設され、窓部４３の内周縁部においてこの下端部に対応する部分に径方向の内側から係合している。これにより、係合片６１は、カバー体６４に対して径方向の外側に向けて移動することが規制される。なお、図示の例では、第２係合部６５の上端は、摘み部４１の下端と上下方向に離間している。
【００４４】
次に、以上のように構成された吐出器６０の作用について説明する。
本実施形態の吐出器６０においては、係合片６１が連結されたカバー体６４を、係合片６１がカバー体６４に係合されていない状態、例えば係合片６１がブリッジ部６３回りに径方向の外側に回動された状態（図示２点鎖線参照）で一体に成形する。
そこで、係合片６１が連結されたカバー体６４を吐出器本体１５に装着させる際には、まず、前述したように前記上側部分１７にカバー体６４を装着させ、その後、例えばブリッジ部６３を折曲変形させて係合片６１をブリッジ部６３回りに径方向の内側に向けて回動させ、第１係合部４２および第２係合部６５をそれぞれ押下ヘッド１４およびカバー体６４に係合させる。
【００４５】
以上説明した本実施形態に係る吐出器６０によれば、前記第１実施形態と同様の作用効果を奏することができる。
【００４６】
（第４実施形態）
次に、本発明に係る第４実施形態について図面を参照して説明する。
なお、この第４実施形態においては、第３実施形態における構成要素と同一の部分については同一の符号を付してその説明を省略し、異なる点についてのみ説明する。
図６に示すように、本実施形態に係る吐出器７０では、カバー体７１の周壁部７２内には、前記上側部分１７における押下ヘッド８０の下端部および案内筒部２２が嵌合されている。
窓部７３は、収納体３５の下壁部３６に、その径方向における外端から内側に向けて中間部分まで延び、このカバー体７１を下から見た底面視で矩形状に形成されている。
【００４７】
係合片７８の本体片部７４は、径方向に延びる平面視矩形状に形成されて窓部７３内に配設されており、その外周縁部において径方向の外側に位置する外側端部７４ａが、窓部７３の内周縁部においてこの外側端部７４ａに対応する部分とブリッジ部７５を介して連結されている。
摘み部７６は、平面視台形状に形成されるとともに本体片部７４においてカバー体７１の外側を向く表面に下方に向けて突設されている。
第２係合部７７は、本体片部７４の外周縁部において径方向の内側に位置する内側端部に、径方向の内側に向けて突設され、窓部７３の内周縁部において前記内側端部に対応する部分に上側から係合している。これにより、係合片７８は、カバー体７１に対して下側に向けて移動することが規制される。
【００４８】
そして、本実施形態では、第１係合部７９は、本体片部７４において表面と反対側の裏面に上方に向けて突設され、押下ヘッド８０の吐出筒２９に設けられたノズル側係合部８１に係合されている。
ノズル側係合部８１は、吐出筒２９の先端に、この吐出筒２９の外側に向けて突設されたフランジ状体で構成されている。そして、第１係合部７９は、本体片部７４の外側端部７４ａの裏面に突設されており、ノズル側係合部８１に径方向の内側から係合されている。
また、本体片部７４の裏面には、上方に向けて突出するとともに上端が吐出筒２９に当接するストッパ部８２が設けられている。
【００４９】
次に、以上のように構成された吐出器７０の作用について説明する。
本実施形態の吐出器７０においては、係合片７８が連結されたカバー体７１を、係合片７８がカバー体７１に係合されていない状態、例えば係合片７８がブリッジ部７５回りに上下方向の下側に回動された状態（図示２点鎖線参照）で一体に成形する。
そこで、係合片７８が連結されたカバー体７１を吐出器本体１５に装着させる際には、まず、前述したように前記上側部分１７にカバー体７１を装着させ、その後、例えばブリッジ部７５を折曲変形させて係合片７８をブリッジ部７５回りに上側に向けて回動させ、第１係合部７９および第２係合部７７をそれぞれ押下ヘッド８０およびカバー体７１に係合させる。この際、ストッパ部８２の上端が吐出筒２９に当接するまで係合片７８を回動させる。
【００５０】
以上説明した本実施形態に係る吐出器７０によれば、ストッパ部８２の上端が、吐出筒２９に当接しているので、係合片７８をブリッジ部７５回りに回動させることで前記ノズル側係合部８１に第１係合部７９を係合させる際に、係合片７８をブリッジ部７５回りに位置決めすることが可能になり、係合片７８をブリッジ部７５回りに過度に回転させるのを抑えることができる。
【００５１】
また、本実施形態では、第２係合部７７がカバー体７１に係合することで、係合片７８がカバー体７１に対して下側に向けて移動することが規制されているとともに、ストッパ部８２の上端が吐出筒２９に当接することで、係合片７８がカバー体７１に対して上側に向けて移動することが規制されているので、係合片７８をカバー体７１から分離させるために、係合片７８に下側に向けて力を加えることで、係合片７８に加えた力をブリッジ部７５に効率的に伝えることが可能になり、カバー体７１からの係合片７８の分離を容易に行うことができる。
【００５２】
なお、本実施形態では、ノズル側係合部８１が、吐出筒２９の先端に、この吐出筒２９の外側に向けて突設されたフランジ状体で構成されるものとしたが、これに限られるものではない。例えば、吐出筒を、その先端に向かうに従い漸次拡径するように形成し、吐出筒の先端でノズル側係合部を構成しても良い。
【００５３】
（第５実施形態）
次に、本発明に係る第５実施形態について図面を参照して説明する。
なお、この第５実施形態においては、第４実施形態における構成要素と同一の部分については同一の符号を付してその説明を省略し、異なる点についてのみ説明する。
図７に示すように、本実施形態に係る吐出器９０では、カバー体９１の収納体９２の下壁部９３は、その全長にわたって径方向に沿って真直に延びている。
【００５４】
窓部９４は、下壁部９３の径方向における中間部分から内側に向けて周壁部７２との連結部分まで延びている。
ノズル側係合部９５は、吐出筒２９の下面に下方に向けて突設されている。
係合片９６の第１係合部９７は、ノズル側係合部９５に径方向の内側から係合するとともに、上端が吐出筒２９に当接している。
【００５５】
次に、以上のように構成された吐出器９０の作用について説明する。
本実施形態の吐出器９０においては、係合片９６が連結されたカバー体９１を、係合片９６がカバー体９１に係合されていない状態、例えば係合片９６が、ブリッジ部７５回りに上下方向の下側に回動された状態（図示２点鎖線参照）で一体に成形する。
そこで、係合片９６が連結されたカバー体９１を吐出器本体１５に装着させる際には、まず、前述したように前記上側部分１７にカバー体９１を装着させ、その後、例えばブリッジ部７５を折曲変形させて係合片９６をブリッジ部７５回りに上側に向けて回動させ、第１係合部９７および第２係合部７７をそれぞれ押下ヘッド８０およびカバー体９１に係合させる。この際、第１係合部９７の上端が吐出筒２９に当接するまで係合片９６を回動させる。
【００５６】
以上説明した本実施形態に係る吐出器９０によれば、第１係合部９７の上端が、吐出筒２９に当接しているので、係合片９６をブリッジ部７５回りに回動させることで前記ノズル側係合部９５に第１係合部９７を係合させる際に、係合片９６をブリッジ部７５回りに位置決めすることが可能になり、係合片９６をブリッジ部７５回りに過度に回転させることを抑えることができる。
【００５７】
（第６実施形態）
次に、本発明に係る第６実施形態について図面を参照して説明する。
なお、この第６実施形態においては、第３実施形態における構成要素と同一の部分については同一の符号を付してその説明を省略し、異なる点についてのみ説明する。
図８および図９に示すように、本実施形態に係る吐出器１００では、カバー体１０１の周壁部１０２内には、前記上側部分１７における押下ヘッド１４の下端部および案内筒部が嵌合されている。
【００５８】
そして、本実施形態では、係合片１０３の本体片部１０４は、開口部３３内に配設されている。
本体片部１０４は、平面視矩形状に形成されるとともに開口部３３の周方向の中央部に上下方向に延びて配設され、その上端は、カバー体１０１の頂部３１の外周縁部（カバー体１０１における開口部３３の周縁部）と上下方向に間隔をあけて配置されており、この外周縁部とブリッジ部１０５を介して連結されている。また、本体片部１０４の下端は、押下ヘッド１４の囲繞筒部２８の下端よりも下方に位置しており、この下端に、基端部が径方向の内側に向けて延在するとともに先端部が上方に向けて延在するように中間部で屈曲され、全体として略Ｌ字状に形成された第１係合部４２が連設されている。
【００５９】
そして、本体片部１０４においてブリッジ部１０５との連結部分（上端）および第１係合部４２との連結部分（下端）の間に位置する中間部分１０４ａは、前記上側部分１７に径方向の外側から当接もしくは近接している。図示の例では、前記中間部分１０４ａは、前記上側部分１７に押下ヘッド１４の囲繞筒部２８の上部２８ａに径方向の外側から近接もしくは当接している。
摘み部１０６は、平面視矩形状に形成され、本体片部１０４の中央部に径方向の外側に向けて突設されている。
【００６０】
次に、以上のように構成された吐出器１００の作用について説明する。
本実施形態の吐出器１００においては、本体片部１０４が、開口部３３内に配設され、かつ前記中間部分１０４ａが、押下ヘッド１４に径方向の外側から近接もしくは当接しているので、前記上側部分１７が開口部３３を径方向に通過するようにカバー体１０１および吐出器本体１５を径方向に沿って相対的に離間移動させようとする力を加えると、押下ヘッド１４と前記中間部分１０４ａとが当接する。ここで、第１係合部４２が、押下ヘッド１４の囲繞筒部２８に径方向の内側から係合しているので、この際に加えられる力を、押下ヘッド１４と前記中間部分１０４ａとの当接部分および第１係合部４２で受け止めて前述の離間移動を規制することが可能になり、前記上側部分１７が開口部３３を径方向に通過するのを規制することができる。
【００６１】
また、この吐出器１００においては、図１０に示すように、係合片１０３が連結されたカバー体１０１を、開口部３３内に本体片部１０４が配設されていない状態、例えば係合片１０３がブリッジ部１０５回りに上下方向の上側に回動された状態（図示２点鎖線参照）で一体に成形する。
【００６２】
そこで、係合片１０３が連結されたカバー体１０１を吐出器本体１５に装着させる際には、まず、前述したように前記上側部分１７にカバー体１０１を装着させ、その後、例えばブリッジ部１０５を折曲変形させて係合片１０３をブリッジ部１０５回りに上下方向の下側に向けて回動させ、第１係合部４２を押下ヘッド１４に係合させる。ここで、本実施形態では、カバー体１０１の頂部３１と押下ヘッド１４の頂壁部２６との間に隙間が設けられていることから、この際まず、前記隙間が狭まるように頂部３１を下方に向けて押し下げて弾性変形させつつ係合片１０３をブリッジ部１０５回りに下側に向けて回動させ、第１係合部４２の先端部を、押下ヘッド１４の囲繞筒部２８の下方を径方向に通過させ、押下ヘッド１４の囲繞筒部２８と装着キャップ１１の案内筒部２２との間の隙間の下方に移動させる。次いで、図１１に示すように、頂部３１の押し下げを解除するとともに、第１係合部４２を上方に向けて押し上げることで、第１係合部４２の先端部を、前記隙間に進入させ押下ヘッド１４と案内筒部２２との間に嵌入させる。これにより、係合片１０３を押下ヘッド１４に係合させることができる。なおこの際、頂部３１の弾性復元力を利用することも可能である。
【００６３】
以上説明した本実施形態に係る吐出器１００によれば、前記第３実施形態と同様の作用効果を奏することができる。
【００６４】
（第７実施形態）
次に、本発明に係る第７実施形態について図面を参照して説明する。
なお、この第７実施形態においては、第６実施形態における構成要素と同一の部分については同一の符号を付してその説明を省略し、異なる点についてのみ説明する。
図１２に示すように、本実施形態に係る吐出器１１０では、係合片１１１の本体片部１０４と第１係合部４２とが、ヒンジ部１１２を介して回動可能に連結されている。図示の例では、本体片部１０４と第１係合部４２とは、ヒンジ部１１２によって径方向に回動可能に連結されている。なお、ヒンジ部１１２の破断強度は、ブリッジ部１０５よりも大きく、少なくともこのヒンジ部１１２回りに本体片部１０４と第１係合部４２とが回動する際に破断されない程度であることが好ましい。
また、本体片部１０４の下端部の内周面には、下方に向けて開口する位置決め凹溝１１３が形成され、第１係合部４２の基端部には、位置決め凹溝１１３において径方向の内側を向く内面に当接する位置決め凸部１１４が上方に向けて突設されている。
【００６５】
次に、以上のように構成された吐出器１１０の作用について説明する。
本実施形態の吐出器１１０においては、係合片１１１が連結されたカバー体１０１を、開口部３３内に本体片部１０４が配置されていない状態、例えば係合片１１１が、ブリッジ部１０５回りに上下方向の上側に回動された状態（図示２点鎖線参照）で一体に成形する。さらに、本実施形態では、位置決め凸部１１４が位置決め凹溝１１３の内面と当接していない状態で一体に形成する。
そこで、図１３に示すように、係合片１１１が連結されたカバー体１０１を吐出器本体１５に装着させる際には、まず、前述したように前記上側部分１７にカバー体１０１を装着させ、その後、例えばブリッジ部１０５を折曲変形させて係合片１１１をブリッジ部１０５回りに上下方向の下側に向けて回動させ、本体片部１０４を開口部３３内に配設する。次いで、第１係合部４２をヒンジ部１１２回りに径方向の外側から内側に向けて回動させることで、第１係合部４２の先端部を、囲繞筒部２８の下方を通過させた後、案内筒部２２と囲繞筒部２８との間の隙間に進入させ、押下ヘッド１４と案内筒部２２との間に嵌入させる。これにより、係合片１１１を押下ヘッド１４に係合させることができる。
【００６６】
以上説明した本実施形態に係る吐出器１１０によれば、係合片１１１と第１係合部４２とがヒンジ部１１２を介して径方向に回転可能に連結されているので、第１係合部４２をヒンジ部１１２回りに径方向の外側から内側に向けて回動させることで、囲繞筒部２８の下方を径方向に通過させることができる。
【００６７】
なお、本発明の技術的範囲は前記実施形態に限定されるものではなく、本発明の趣旨を逸脱しない範囲において種々の変更を加えることが可能である。
例えば、案内筒部２２に形成された係止部である段部２２ｃおよび周壁部３２に形成された被係止部３７は、被係止部３７が係止部に係止されることで、吐出器本体１５に対するカバー体１８、５２、６４、７１、９１、１０１の上方に向けた移動を規制するものであれば、前記各実施形態に示したものに限られない。
【００６８】
また、ブリッジ部３９、６３、７５、１０５は、カバー体１８、５２、６４、７１、９１、１０１と係合片３８、５３、６１、７８、９６、１０３、１１１とを破断可能に連結するものであれば、前記実施形態に示したものに限られない。例えば、ブリッジ部は、カバー体と係合片との間を全周にわたって、もしくはカバー体と係合片との間の一部分を連結する破断可能な薄肉部であってもよい。
【００６９】
また、押下ヘッド１４、８０に吐出筒２９を設けなくてもよい。さらに、カバー体１８に収納体３５、９２を設けなくてもよい。
また、ポンプ１３は、前記実施形態に限らず例えば、空気シリンダや空気ピストン等がポンプ１３に付け加えられたいわゆるフォーマポンプや、霧化用のチップを吐出孔に設けたスプレーポンプ等としてもよい。
【００７０】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００７１】
２  容器体
２ａ  口部
１０、５０、６０、７０、９０、１００、１１０  吐出器
１１  装着キャップ
１２  ステム
１３  ポンプ
１４、８０  押下ヘッド
１５  吐出器本体
１６  天壁部
１７  上側部分
１８、５２、６４、７１、９１、１０１  カバー体
２２  案内筒部
２２ｃ  段部（係止部）
３１  頂部
３２、７２、１０２  周壁部
３３  開口部
３７  被係止部
３８、５３、６１、７８、９６、１０３、１１１  係合片
３９、６３、７５、１０５  ブリッジ部
【図１】
2010274983.tif 000003
【図２】
2010274983.tif 000004
【図３】
2010274983.tif 000005
【図４】
2010274983.tif 000006
【図５】
2010274983.tif 000007
【図６】
2010274983.tif 000008
【図７】
2010274983.tif 000009
【図８】
2010274983.tif 000010
【図９】
2010274983.tif 000011
【図１０】
2010274983.tif 000012
【図１１】
2010274983.tif 000013
【図１２】
2010274983.tif 000014
【図１３】
2010274983.tif 000015